(57)【要約】【課題】天井が高くてもエリア境界でたばこ煙が逆流しない空気流を形成し、区画をしている面が大きくなってもパーティション等の壁で全く仕切ったものと比べると開放感が得られる分煙システムを提供することを目的とする。【解決手段】本発明は、禁煙エリア８と喫煙エリア９の境界に少なくとも一つの通路１０を形成して配置して区画する高圧空気発生部を内蔵する構造体７がノズルの吹出口から吹き出す空気流とノズルの間隙によって形成される誘引風路からの空気流、および禁煙エリア８に設けられる給気口１１と喫煙エリア９に設けられる排気口１２によって、給気口１１から排気口１２へ向かう空気流を形成することで、たばこ煙が逆流せず、開放感が得られる。【選択図】図１
2018054244.tif 000002
【特許請求の範囲】
【請求項１】
禁煙エリアと喫煙エリアの境界に少なくとも一つの通路を形成して配置して区画する構造体と、前記構造体を構成する送風部と、禁煙エリアに設けられる給気口と喫煙エリアに設けられる排気口によって、給気口から排気口へ向かう空気流を形成する分煙システムであって、前記送風部は、禁煙エリア側から空気を吸込んで高圧空気を発生する高圧空気発生部を内蔵する筺体と、筒体の側部に前記高圧空気を吹き出す吹出口を備えたノズルを備え、
前記複数のノズルを前記筐体の天面から前記境界における天井へ向けて起立し、前記複数のノズルの間隙によって誘引風路を形成し、複数のノズルの吹き出口が互いに同一面になるようにして、前記吹出口から喫煙エリア側に向かい吹出すことを特徴とする分煙システム。
【請求項２】
前記送風部のノズルの断面は、通路側で最も大きく、通路から離れるにつれてしだいに小さくなる構造でノズルから吹き出す風速を通路側で最も速くなるようにした請求項１記載の分煙システム。
【請求項３】
前記送風部は、前記筐体に対向させて配置したチャンバと、筒体に吹出し口を備えないダクトとを有し、前記ノズルとダクトは、間隔を開けて交互に配置され、前記ノズルとダクトの上下両端において前記筐体とチャンバが対向する一面でそれぞれの内部に連通し、前記ノズルの一端は前記筐体から前記高圧空気が供給され、前記ノズルの他端は前記筐体から前記ダクトとチャンバを介して前記高圧空気が供給され、前記間隙によって、前記吹出口から吹出す空気に誘引される空気の誘引風路が形成されている請求項１または２記載の分煙システム。
【請求項４】
前記送風部のノズルの断面積が、筐体側に対してチャンバ側が大きくなるようになっている請求項３に記載の分煙システム。
【請求項５】
前記吹出口に風向を斜め上方に向けることができる風向調節手段を備えた請求項１から４いずれか一つに記載の分煙システム。
【請求項６】
前記送風手段のノズルの長さを可変にする機構を有する請求項１、２、４、５いずれか一つに記載の分煙システム。
【請求項７】
前記送風部のノズルの長さとダクトの長さを可変にする機構を有する請求項１、３、４、５いずれ一つに記載の分煙システム。
【発明の詳細な説明】
【技術分野】
【０００１】
本発明は、禁煙エリアと喫煙エリアが区画され、喫煙エリアから禁煙エリアへとたばこ煙に含まれる粉塵が流れないように境界での流速を調整する分煙用の送風手段を備えた分煙システムに関する。
【背景技術】
【０００２】
従来、この種の分煙システムは、パーティションを用いて喫煙エリアと禁煙エリアを区画し、互いに行き来ができるように通路を設けた室内空間において、喫煙エリアの天井からの給気と、喫煙エリアの天井から排気によって、禁煙エリアから喫煙エリアに向かう空気流を形成し、またその他の送風手段によって換気風量を十分に確保することで粉塵漏れのない分煙を行う分煙システムが知られている。（例えば、特許文献１参照）。
【０００３】
以下、その分煙システムについて図１６および図１７を参照しながら説明する。
図１６および図１７に示すように、分煙システム１０１は、換気機能を有する分煙室１０２と、分煙室１０２に設置された還流装置１０３とで構成されている。
【０００４】
分煙室１０２は、床１０４、天井１０５および四つの側壁１０６で囲われている空間８０である。さらに、分煙室１０２は、床面から垂直に立ち上げたパーティション１０７によって禁煙エリア１０８と喫煙エリア１０９とを区画している。
【０００５】
禁煙エリア１０８側のパーティションから最も離れた領域の天井１０５には給気口１１１、喫煙エリア１０９側のパーティションから最も離れた領域の天井１０５には排気口１１２が設けられている。
【０００６】
還流装置１０３は、禁煙エリア１０８側と喫煙エリア１０９側とを行き来できる通路１１０の上部に設置されている。還流装置１０３は、禁煙エリア１０８側の天井１０５と喫煙エリア１０９側の天井１０５に跨るダクト１１４を備えている。ダクト１１４は、分煙室１０２の内部に天井１０５に沿う通気路１１５を構成している。
【０００７】
ダクト１１４の端部では、喫煙エリア１０９に位置する通気路１１５の上流側には吸込口１１６が形成されており、例えば喫煙エリア１０９の天井１０５から床１０４に向けて開口されている。また、禁煙エリア１０８に位置する通気路１１５の下流側に吹出口１１７が形成されており、例えば通路１１０の付近で禁煙エリア１０８の天井１０５から床１０４に向けて開口されている。また、通気路１１５の内部において、フィルタ１１８が吸込口１１６と吹出口１１７との間に配置されている。
【０００８】
上記構成で、分煙システム１０１は、以下のように機能する。
【０００９】
禁煙エリア１０８側の天井１０５に開口された給気口１１１から禁煙エリア１０８内に給気するとともに、喫煙エリア１０９側の天井１０５に開口された排気口１２から喫煙エリア１０９内の空気を排気する。
【００１０】
給気口１１１から禁煙エリア１０８内に取り込まれた空気の主流は、禁煙エリア１０８の側壁１０６および床１０４を伝って通路１１０に向かう。このため、図１７において矢印で示すように分煙室１０２内には、禁煙エリア１０８側から通路１１０を通過して喫煙エリア１０９側に向かう第一の空気流Ｆ１が形成される。第一の空気流Ｆ１を形成する以前または以降、あるいは第一の空気流Ｆ１を形成すると同時に還流装置１０３のファン１１９を駆動する。ファン１１９が駆動することで、ダクト１１４の吸込口１１６からたばこ煙を含む喫煙エリア１０９内の空気が通気路１１５に吸い込まれる。通気路１１５に吸い込まれた空気は、フィルタ１１８を通過する。フィルタ１１８が空気中に含まれる粉塵を除去し、粉塵が除去された清浄な空気は、通路１１０の上方付近に位置されたダクト１１４の吹出口１１７から禁煙エリア１０８内に吹出す。すなわち、還流装置１０３による喫煙エリア１０９内の空気の吸い込み、及び禁煙エリア１０８内への空気の吹出しは、夫々境界開口部としての通路１１０の近傍で行われる。この結果、還流装置１０３の通気路１１５に喫煙エリア１０９内から禁煙エリア１０８内に戻るリターン空気流が形成される。これにより、図１５において矢印で示すように、分煙室１０２の上部で天井１０５に近い位置に禁煙エリア１０８側から通路１１０の上部を通じて喫煙エリア１０９に向かう第２の空気流Ｆ２が形成される。
【００１１】
このようにＦ１、Ｆ２の空気流を形成することで分煙室１０２内で禁煙エリア１０８側から喫煙エリア１０９側に向かう空気の流量が増大し、禁煙エリア１０８側へ向けて通路１１０を逆流する気流の発生は少なくなる。
【先行技術文献】
【特許文献】
【００１２】
【特許文献１】特許第５８５３０９５号
【発明の概要】
【発明が解決しようとする課題】
【００１３】
このような従来の分煙システムにおいて、還流装置によって形成される第二の空気流は、天井に近い分煙室の上部で禁煙エリアから通路を通じて喫煙エリアに向けて流れるものである。このため、天井が高くなると還流装置を使ってもたばこ煙が通路を逆流しないために必要な空気流が形成されない部分が存在するようになるという課題があった。また、パーティションによって禁煙エリアと喫煙エリアとを区画しているため、区画をしている面が大きくなればなるほど、閉鎖的になり閉塞感が増すという課題を有していた。
【００１４】
そこで、本発明は、上記従来の課題を解決するものであり、天井が高くてもエリア境界でたばこ煙が逆流しない空気流を形成し、区画をしている面が大きくなってもパーティション等の壁で全く仕切ったものと比べると開放感が得られる分煙システムを提供することを目的とする。
【課題を解決するための手段】
【００１５】
そして、この目的を達成するために、本発明は、禁煙エリアと喫煙エリアの境界に少なくとも一つの通路を形成して配置して区画する構造体と、前記構造体を構成する送風部と、禁煙エリアに設けられる給気口と喫煙エリアに設けられる排気口によって、給気口から排気口へ向かう空気流を形成する分煙システムであって、
前記送風部は、禁煙エリア側から空気を吸込んで高圧空気を発生する高圧空気発生部を内蔵する筺体と、筒体の側部に前記高圧空気を吹き出す吹出口を備えたノズルを備え、前記複数のノズルを前記筐体の天面から前記境界における天井へ向けて起立し、前記複数のノズルの間隙によって誘引風路を形成し、複数のノズルの吹き出口が互いに同一面になるようにして、前記吹出口から喫煙エリア側に向かい吹出すことを特徴とする分煙システムであり、これにより所期の目的を達成するものである。
【発明の効果】
【００１６】
本発明によれば、禁煙エリアと喫煙エリアの境界に少なくとも一つの通路を形成して配置して区画する構造体と、前記構造体を構成する送風部と、禁煙エリアに設けられる給気口と喫煙エリアに設けられる排気口によって、給気口から排気口へ向かう空気流を形成する分煙システムであって、
前記送風部は、禁煙エリア側から空気を吸込んで高圧空気を発生する高圧空気発生部を内蔵する筺体と、筒体の側部に前記高圧空気を吹き出す吹出口を備えたノズルを備え、前記複数のノズルを前記筐体の天面から前記境界における天井へ向けて起立し、前記複数のノズルの間隙によって誘引風路を形成し、複数のノズルの吹き出口が互いに同一面になるようにして、前記吹出口から喫煙エリア側に向かい吹出すことを特徴とする分煙システムとしたことで、禁煙エリアから喫煙エリアへ向かって形成される空気流とエリア境界において禁煙エリアから喫煙エリアへ向かい逆流が起こらない所定の風速を床からの高さによらず得られ、また、ノズル間に間隙を設けた形状としたことでエリア間を見通すことができるので、天井が高くてもエリア間でたばこ煙が逆流せず、パーティション等の壁で仕切ったものと比べると開放感が得られる空間分煙を行えるという効果を得ることができる。
【図面の簡単な説明】
【００１７】
【図１】本発明実施の形態１に係る分煙システムを概略的に示す斜視図
【図２】図1のＸ１断面の断面図
【図３】本発明の実施の形態２に係る分煙システムを概略的に示す斜視図
【図４】図３に示す破線に沿った断面図
【図５】本発明の実施の形態３に係る分煙システムの構造体を示す正面図
【図６】本発明の実施の形態３に係る分煙システムの構造体のダクト断面を示す図（（ａ）ノズル部分の断面図、（ｂ）ダクト部分の断面図）
【図７】本発明の実施の形態４に係る分煙システムの構造体を示す正面図
【図８】本発明の実施の形態５に係る分煙システムの構造体の斜視図
【図９】図８の破線部拡大図
【図１０】本発明の実施の形態５に係る分煙システムの風向調節リブを示す図
【図１１】本発明の実施の形態５に係る分煙システムを概略的に示す斜視図
【図１２】本発明の実施の形態６に係る分煙システムの構造体のノズルを示す斜視図
【図１３】本発明の実施の形態６に係る分煙システムの構造体のノズル背面を示す斜視図
【図１４】図１２の破線部拡大図
【図１５】本発明の実施の形態６に係る分煙システムの構造体の長さ可変機構の動作を示す図
【図１６】従来技術の一例を示す斜視図
【図１７】従来技術の一例を示す図１４のＦ２−Ｆ２に沿った断面図
【発明を実施するための形態】
【００１８】
本発明の請求項１に係わる分煙システムは、禁煙エリアと喫煙エリアの境界に少なくとも一つの通路を形成して配置して区画する構造体と、前記構造体を構成する送風部と、禁煙エリアに設けられる給気口と喫煙エリアに設けられる排気口によって、給気口から排気口へ向かう空気流を形成する分煙システムであって、
前記送風部は、禁煙エリア側から空気を吸込んで高圧空気を発生する高圧空気発生部を内蔵する筺体と、筒体の側部に前記高圧空気を吹き出す吹出口を備えたノズルを備え、
前記複数のノズルを前記筐体の天面から前記境界における天井へ向けて起立し、前記複数のノズルの間隙によって誘引風路を形成し、
複数のノズルの吹き出口が互いに同一面になるようにして、前記吹出口から喫煙エリア側に向かい吹出すことを特徴とする分煙システムである。
【００１９】
これにより、禁煙エリアと喫煙エリアとのエリア境界において、禁煙エリア側から喫煙エリア側へ向かって形成される空気流は所定の風速を確保することができ、床からの高さによらず、天井が高くても禁煙エリアと喫煙エリアとのエリア間でたばこ煙の逆流はしなくなる。また、ノズル間に間隙を設けた形状としたことでエリア間を見通すことができるので、パーティション等の壁で仕切ったものと比べると開放感が得られる空間８０分煙を行えるという効果を奏する。
【００２０】
また、請求項２に係わる分煙システムは、送風部のノズルの断面は、通路側で最も大きく、通路から離れるにつれてしだいに小さくなる構造でノズルから吹き出す風速を通路側で最も速くなるようにしたものである。
【００２１】
これにより、通路に最も近いノズルから吹出す風が一番速くなることで最も広い誘引間隙と言える通路から誘引する風量をその他間隙から誘引する風量と同等レベルまで高めることができるので、部屋の奥行き方向に対してより風速が均一で風のムラによる不快感を抑制した風を喫煙エリアへ提供できるという効果を奏する。
【００２２】
また、請求項３に係わる分煙システムは、送風部は、前記筐体に対向させて配置したチャンバと、筒体に吹出し口を備えないダクトとを有し、前記ノズルとダクトは、間隔を開けて交互に配置され、前記ノズルとダクトの上下両端において前記筐体とチャンバが対向する一面でそれぞれの内部に連通し、前記ノズルの一端は前記筐体から前記高圧空気が供給され、前記ノズルの他端は前記筐体から前記ダクトとチャンバを介して前記高圧空気が供給され、前記間隙によって、前記吹出口から吹出す空気に誘引される空気の誘引風路が形成されているものである。
【００２３】
これにより、高圧空気はチャンバを介してノズル上方からも供給できることから、ノズルの高さが高くなっても上下で均一な風速が得られ、送風装置の吹出面から均一な流速の面の風を喫煙エリアへ送風できるので、喫煙者は風が直接あたることによる不快感を少なくするという効果を奏する。
【００２４】
また、請求項４に係わる分煙システムは、送風手段のノズルの断面積が、筐体側に対してチャンバ側が大きくなるようになっているものである。
【００２５】
これにより、チャンバから空気が供給されやすくなるため、一般住宅に比べて天井の高さが高い空間に設置された場合でも、上方のノズルから吹出す流量を得られ、上下で均一な風速の風を喫煙エリアへ提供できるので、高さに関係なくムラのない風を喫煙エリアへ提供できるという効果を奏する。
【００２６】
また、請求項５に係わる分煙システムは、吹出口に風向を斜め上方に向けることができる風向調節手段を備えたものである。
【００２７】
これにより、排気口に直線的に向かう空気流を形成することができ、タバコ煙が排気口に向かって、地面に対して斜め上方に向かうことで、喫煙者間を通って排気口に達するたばこ煙を減らすことができるので、喫煙者間の受動喫煙を抑制できるという効果を奏する。
【００２８】
また、請求項６に係わる分煙システムは、送風手段のダクトの長さを可変にする機構を有するものである。
【００２９】
これにより、ダクトの長さを天井の高さに合わせて変えることで、高さの異なる空間に移動させても面の風を提供する分煙システムとして利用できるという効果を奏する。
【００３０】
また、請求項７に係わる分煙システムは、前記送風手段のノズルの長さとダクトの長さを可変にする機構を有する。
【００３１】
これにより、ダクトの長さを天井の高さに合わせて変えることで、高さの異なる空間に移動させても面の風を提供する分煙システムとして利用できるという効果を奏する。
【００３２】
以下、本発明の実施の形態について、図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。
【００３３】
（実施の形態１）
最初に、図１を用いて本実施の形態に係る分煙システム１の構成について説明する。
【００３４】
図１に示すように、分煙システム１は換気機能を有する分煙室２と、分煙室２に設置された送風部３を有する構造体７で成り立っている。分煙室２は、床４、天井５および４つの側壁６で規定されている。分煙室２は、構造体７によって禁煙エリア８と喫煙エリア９とに区画されている。構造体７は二つに分けて配置し、通路１０が二つの構造体７を並べた間に形成されている。通路１０は、人が禁煙エリア８側から喫煙エリア９側との間を行き来することができるように、分煙室２の床４から天井５に向かう縦長の開口形状となるようにしている。
【００３５】
禁煙エリア８側の天井５には、例えば三つの給気口１１を設ける。給気口１１は、禁煙エリア８に分煙室２の外の新鮮な空気を取り込むものである。給気口１１は、構造体７からできる限り離して配置される。さらに、給気口１１は、禁煙エリア８内で奥行き（Ｄ）方向に、互いに間隔を有して一列に並べられている。
【００３６】
また、喫煙エリア９側の天井５には、例えば三つの排気口１２を設ける。排気口１２は、喫煙エリア９内の空気を分煙室２の外に排出するものである。排気口１２は、構造体７からできる限り離して配置される。さらに、排気口１２は、喫煙エリア９内で奥行き（Ｄ）方向に、互いに間隔を有して一列に並べられている。
【００３７】
したがって、給気口１１および排気口１２は、互いに協働して分煙室２内の空気を分煙室２の外の空気と入れ替える換気手段を構成している。
【００３８】
図１、図２に示すように構造体７は、禁煙エリア８と喫煙エリア９とを区画する位置に設けられている。構造体７は、送風部３を有している。送風部３は、吸気口２３を備え高圧空気を発生する高圧空気発生部１９を内蔵する筐体１３と、筒体２０の側部に高圧空気を吹き出す吹出口１４を設けたノズル１５を備え、複数のノズル１５を筐体１３の天面から天井５へ向けて起立させている。複数のノズル１５は、等間隔に並び、それぞれのノズル１５の間隙（図５、誘引間隔４４参照）によって誘引風路を形成している。複数のノズル１５の吹出口１４が互いに同一面になるように配置されている。また、吹出口１４の開口面積は等しくしている。
【００３９】
また、複数のノズル１５の内部には、例えば図２のように内部風路１６が形成されている。
【００４０】
高圧空気発生部１９で発生した高圧空気は、内部風路１６を通って、吹出口１４へ向かい、吹出口１４から喫煙エリア９側に向かって吹出す。
【００４１】
吹出口１４の付近に風向調節リブ２１が形成されている。吹出口１４の断面は上方に行くほど大きくなるように吹出口１４の付近に取り付けられている。高圧空気発生部１９に近い下方では、下方の高圧空気発生部１９からの高圧空気は上方へ向かって吹出す傾向が強いため、風向調節リブ２１の先端は、吹出し方向の遠くの地面に向かって取り付けられている。ただし、風向調節リブ２１の先端が向かう地面のある点を結ぶ直線と、地面がなす角（気流の地面への入射角）は、６０度以上になることはない。なお、地面は傾きのない平らな面とする。このようにすることで、地面と平行に高圧空気が吹出すようになっている。こうして、風速の等しい面の風を喫煙エリア９側へ吹き出している。
【００４２】
上記構成によれば、分煙システム１では、禁煙エリア８側の天井５に開口された給気口１１から禁煙エリア８内に給気するとともに、喫煙エリア９側の天井５に開口された排気口１２から喫煙エリア９内の空気を排気する。給気口１１から禁煙エリア８内に取り込まれた空気の主流は、禁煙エリア８側の側壁６および床４を伝って通路１０に向かう。
【００４３】
また、禁煙エリア８側の空気は、禁煙エリア８と喫煙エリア９の境界において、構造体７によって一部が取り込まれ、上下に伸びたノズル１５から、筐体天面付近から天井付近まで形成される速度の均一な空気流が形成される。
【００４４】
この結果、禁煙エリア８と喫煙エリア９の境界では給気口１１と排気口１２によって形成される空気流と、構造体７による空気流によって、禁煙エリア８から喫煙エリア９へ向かう空気流が形成され、その後、構造体７から吹き出された空気は、地面に平行に直進したのち、ノズル１５から離れるにつれて次第に排気口１２へ向かう空気流を形成する。
【００４５】
したがって、たとえエリア境界の天井５が高くても、喫煙エリア９で発生したタバコ煙は、禁煙エリア８へ逆流することなく、床４から天井５まで形成される空気流によって、粉塵漏れのない分煙を行うことができる。
【００４６】
また、構造体７は複数のノズル１５の間隙から、互いのエリアを見通すことができることから、パーティション等の壁で仕切ったものと比べて開放感が得られる分煙を行うことができる。
【００４７】
また、従来あったフィルタの目詰まりで空気流が確保できなかったり、粉塵漏れが起こったりするといった場合に必要とされていたフィルタのメンテナンスの手間も省ける。
【００４８】
（実施の形態２）
以下、本発明の実施の形態２について図３および図４を参照しながらその構成の詳細を説明する。
【００４９】
実施の形態２に係る分煙システム１は、実施の形態１に係る分煙システム１の通路で形成される誘引空気流２２の量を増やすことで、奥行き（Ｄ）方向で流速の均一化を図るものである。なお、実施の形態２において、実施の形態１と同一の構成要件については同一の符号を付し、その詳細な説明は省略する。
【００５０】
すなわち、図３、図４に示すように、構造体３１の送風部３のノズル１５は通路１０側に近づくにつれて次第にその断面積が大きくなるように形成されている。
【００５１】
上記構成によれば、吹出口１４の開口面積が等しく、ノズル１５の断面積のみが異なるので、吹出空気流１８は、通路１０に最も近く、断面積の最も大きいノズル１５で最も速くなり、通路で形成される誘引空気流２２をノズルとノズルの間の隙間（誘引間隔４４）で形成される誘引空気流１７と同等の風速が得られるようにし、奥行き方向に渡って風速が均一な空気流を形成することができる。したがって、図４の破線で示したように禁煙エリア８と喫煙エリア９の境界において、奥行き(Ｄ)方向における空気の流速を奥行き（Ｄ）方向で向かいあう側壁６の間で均一にできる。
【００５２】
このようにして、喫煙エリア９の使用者は、風速にムラのある風が提供されることによる不快感なく、分煙を行うことができうる。
【００５３】
（実施の形態３）
以下、本発明の実施の形態２について図５および図６を参照しながらその構成の詳細を説明する。
【００５４】
実施の形態３に係る分煙システム１は、実施の形態１および２に係る分煙システム１の天井５の高さ（Ｈ）が高くても上方の流速を落とさず、上下でより均一な流速の空気流を形成することを図るものである。なお、実施の形態３において、実施の形態１および２と同一の構成要件については同一の符号を付し、その詳細な説明は省略する。
【００５５】
すなわち、図５に示すように、構造体４１は、ノズル１５と、併設したダクト４２と、上部に設けたチャンバ４３とを備えている。ノズル１５と、それぞれのノズル１５の間にダクト４２を設けて、ノズル１５とダクト４２の下端において高圧空気発生部１９と接続し、上端においてチャンバ４３と接続している。ダクト４２は、高圧空気発生部１９で発生した高圧空気をチャンバ４３へと導くものである。チャンバ４３は、ノズル１５とダクト４２の内部容積の合計に対して２倍以上大きな容積有するものである。
【００５６】
上記構成によれば、高圧空気発生部１９で発生した高圧空気は、各ノズル１５およびノズル１５と交互に配置されたダクト４２へと向かい、ノズル１５へ向かった空気は、ノズル１５側面に設けられた吹出口１４から吹出される。また、ダクト４２へ向かった空気は図６に示すように、ダクト４２内を通って、チャンバ４３へと到達し、チャンバ４３からノズル１５へと向かうようになっている。なお、図６は、構造体４１の複数あるノズル１５のある一つのノズル１５の位置で切った断面（ａ）と、複数あるダクト４２のうちのある一つのダクト４２の上部の断面（ｂ）を並列させて描いたものである。破線は同じ高さの位置を示している。
【００５７】
これによって、ノズル１５から吹き出す空気の流速を構造体４１の高さによらず均一にできるので、ノズル１５の長さが長くなっても、天井５に向かうにつれて流速が小さくならずに均一な流速の空気流を喫煙エリア９に対して形成することができる。また、実施の形態１同様に、ノズル１５とダクト４２の間隙（誘引間隔４４）によって誘引空気流１７の形成および、禁煙エリア８と喫煙エリア９のエリア間を見通すことができ閉鎖的にならない効果も有する。
（実施の形態４）
以下、本発明の実施の形態４について図７を参照しながらその構成の詳細を説明する。
【００５８】
実施の形態４に係る分煙システム１は、実施の形態３に係る分煙システム１の喫煙エリア９全体にわたって、均一な風速の空気流を形成することを図るものである。なお、実施の形態４において、実施の形態１から３と同一の構成要件については同一の符号を付し、その詳細な説明は省略する。
【００５９】
すなわち、図７に示すように、構造体５１は、実施の形態３の構造体４１のノズル１５の断面積が、筐体１３側に対して、チャンバ４３側で大きくなるようにしたものである。
【００６０】
上記構成によれば、チャンバ４３から空気が供給されやすくなることから、ノズル１５の長さが非常に長くなるような場合であっても、上方のノズル１５から吹き出す空気量を多くできる。
【００６１】
また、通常、給気口１１および排気口１２により生じる流れは禁煙エリア８と喫煙エリア９の境界においては、床４付近を流れるため、床４付近で流速が速くなる。この床４付近で流速が速くなる現象と併用して、本発明の実施の形態４の構造体４１を用いることで、構造体４１によって形成される上方のノズル１５から吹き出す空気量が多い空気流と床４付近で流速が多い空気流をあわせて、高さ（Ｈ）方向で均一な流速の空気流を形成できる。奥行き（Ｄ）方向に関しては、実施の形態２で示した通路１０側に近づくにつれて次第にその断面積が大きくなる構造にすることで均一な空気流を形成できる。したがって、高さ（Ｈ）、奥行き（Ｄ）、両方向において均一な風速の空気流を形成でき、喫煙エリア９全体にわたって、均一な風速の風を禁煙エリア８と喫煙エリア９の境界で形成できるので、喫煙エリア９側の使用者にとってより風速のムラを抑えた快適な空気流を形成できる。
【００６２】
また、均一な風速で空気流を形成することで、流速が遅く喫煙エリア９側でたばこ煙がたまる部分が小さくなる。つまり、床４、天井５、側壁６およびパーティション付近に煙がたまり、汚れて悪臭を発するといったことも抑制できる。
（実施の形態５）
以下、本発明の実施の形態５について図８、図９、図１０、図１１を参照しながらその構成の詳細を説明する。
【００６３】
実施の形態５に係る分煙システム１は、実施の形態１から４に係る分煙システム１の喫煙エリア９における喫煙者の受動喫煙を軽減することを図るものである。なお、実施の形態５において、実施の形態１から４と同様の構成要件については同一の符号を付し、その詳細な説明は省略する。
【００６４】
すなわち、図８、図９に示す構造体６１は、吹出口１４内部に設けられた空気流の整流に用いる風向調節リブ６２と風向調節リブ６２の吹出し角度を調節する角度可変機構６３を備えたものである。
【００６５】
図１０に示すように角度可変機構６３は、吹出口１４の開口に合わせて風向調節リブ６２の先端の幅が決められ、内部風路１６に装着され、軸Ａを中心に回転することで、吹出口１４に沿って風向調節リブ６２の先端が上下する。
【００６６】
上記構成によれば、風向調節リブ６２に沿って空気が流れるので、風向調節リブ６２の先端が排気口１２を向くように向きを調節してやれば、構造体６１から排気口１２へ向かう斜め上方の空気流が形成できる。図１１に示すように、喫煙者が出したたばこ煙５４は構造体６１が形成する斜め上方の空気流に乗って排気口１２へと向かうため、喫煙者の顔付近で地面と平行に移動するたばこ煙５４の量を抑制でき、喫煙者同士の受動喫煙が軽減される。
【００６７】
また、斜め上方の空気流を形成することで、壁面に沿って移動するたばこ煙５４を排気口１２周辺に集めることができる。つまり、床４、天井５や側壁６付近で煙がたまり、汚れて悪臭を発する範囲を排気口１２周辺に狭めることができる。
（実施の形態６）
以下、本発明の実施の形態６について図１２、図１３、図１４、図１５を参照しながらその構成の詳細を説明する。
【００６８】
実施の形態６に係る分煙システム１は、実施の形態１から５に係る分煙システム１の構造体７の送風部３の少なくともノズル１５の長さを可変にするものである。なお、実施の形態６において、実施の形態１から５と同様の構成要件については同一の符号を付し、その詳細な説明は省略する。
【００６９】
すなわち、図１２に示すように、構造体７１それぞれのノズル１５およびダクト４２を図１３に示すような長さ可変機構７２で引き出すことができる引き出しノズル７３を有した構造になっている。
【００７０】
このように、構造体７１のノズル１５は、通常のノズル１５に加え、長さを変えるときに引き出す、引き出しノズル７３を備えている。ここでは、長さを長くするときに、下側に来るほうを下側のノズル、上側に来るほうを上側のノズルとする。上側のノズルは、ここでは引き出しノズル７３ということになる。下側のノズルは、ここではノズル１５である。
【００７１】
長さ可変機構７２は、引き出しノズル７３（上側のノズル）とノズル１５（下側のノズル）に跨って配置されている。
【００７２】
図１４に示すように、引き出しノズル７３(上側のノズル)において、長さ可変機構７２は、引き出しノズル７３（上側のノズル）の背面に備えられた溝７５と突出部７７である。
【００７３】
溝７５は、引き出しノズル７３が伸びる方向へ引き出しノズル７３の両端を除いて、下端から上端まで形成されており、突出部７７は、その溝７５の内側に端から端まで断続的に形成されている。また、溝７５の突出部７７は、上面は溝７５の外方向へ滑らかに下降する傾斜面になっており、下面は平面になっている。
【００７４】
また、図１５に示すように、ノズル１５（下側のノズル）において、長さ可変機構７２は、上端に近い部分に形成され、ノズル１５の外部に位置するボタン７４と、ノズル１５の内部に位置する突起７６とバネ７８と中間材７９と空間８０とで構成されている。
【００７５】
中間材７９は、ボタンと７４と突起７６を備えている板体である。ボタン７４は、背面側に設けており、突起７６は、ボタン７４よりもノズル１５の下方で、ノズル１５の内部に突出させている。また、空間８０は、ノズル１５の背面側の内壁に掘られた溝であって、中間材７９とバネ７８を収納している。
【００７６】
バネ７８は、空間８０の内壁と中間材７９の間で中間材７９を押し付けることで、ボタン７４をノズル１５の外部（背面側）に突出させ、突起７６をノズル１５内部に突出させることができる。
【００７７】
中間材７９は、ボタン７４と突起７６の間にノズル１５の外側から内側へシフトする段差を有する板体であって、前記板体は、段差部分で回動できるものである。
【００７８】
また、ボタン７４は、外部から水平方向の力が加わることで、ノズル１５の内部に向かって水平に進む構造となっている。ボタン７４の押し込み操作が段差部分で突起７６側に連動できるものである。
【００７９】
また、突起７６の上端は平面であり、ボタン７４が押されていない位置にあるとき、突起７６の上端の平面は、引き出しノズル７３の溝７５の突出部７７の下端の平面と当接するようになっている。
【００８０】
上記構成によれば、ボタン７４を押すと連動して、突起７６が引っ込み、引き出しノズル７３を伸ばすことができる。また、自重で下に落ちようとする引き出しノズル７３に対して、突起７６の上端の平面が、溝７５の突出部７７の下端の平面と接すると引き出しノズル７３は固定される。つまり、引き出しノズル７３を引き伸ばした後、重力により下端の平面に突起７６の上端の平面を引っかけることで、引き出しノズル７３の下方への移動を留めることができ長さを決定できるものである。バネ７８の力により、突起７６の上端の平面と引き出しノズル７３の溝７５の突出部７７の下端の平面との当接を固定する強固に固定することができる。また、ボタン７４を押した状態で、突起７６を引っ込めれば、引き出しノズル７３は自由に動くことができる。
【００８１】
このように、引き出しノズル７３の引き出し長さは、図１４に示すように長さ可変機構のボタン７４を押すことで内部の突起７６を引っ込めることができ、好みの長さの位置にある溝７５に合わせて使用できるものである。
【００８２】
つまり、長さを短くしたいときは、ボタン７４を押して内部の突起７６を引っ込めることで、突出部７７の下端の平面に対する突起７６を引っかかりを避けて、引き出しノズル７３の長さを短くすることができる。
【００８３】
このような作用によって、高さ（Ｈ）が異なる空間８０に移動しても使用することができるという効果を有する。なお、この効果は、構造体７１を固定して使用する場合にも、構造体７１を移動させてあらゆる場所で使用する場合にも示されるものである。
【産業上の利用可能性】
【００８４】
本発明にかかる分煙システムは、天井が高くてもエリア間でたばこ煙が逆流せず、パーティション等の壁で仕切ったものと比べると開放感が得られる空間分煙を行える分煙システムとして有用である。
【符号の説明】
【００８５】
１    分煙システム
２    分煙室
３    送風部
４    床
５    天井
６    側壁
７    構造体
８    禁煙エリア
９    喫煙エリア
１０    通路
１１    給気口
１２    排気口
１３    筐体
１４    吹出口
１５    ノズル
１６    内部風路
１７    誘引空気流
１８    吹出空気流
１９    高圧空気発生部
２０    筒体
２１    風向調節リブ
２３    吸気口
３１    構造体
４１    構造体
４２    ダクト
４３    チャンバ
４４    誘引間隙
５１    構造体
５４    たばこ煙
６１    構造体
６２    風向調節リブ
６３    角度可変機構
７１    構造体
７２    長さ可変機構
７３    引き出しノズル
７４    ボタン
７５    溝
７６    突起
７７    突出部
７８    バネ
７９    中間材
８０    空間
１０１    分煙システム
１０２    分煙室
１０３    還流装置
１０４    床
１０５    天井
１０６    側壁
１０７    パーティション
１０８    禁煙エリア
１０９    喫煙エリア
１１０    通路
１１１    給気口
１１２    排気口
１１４    ダクト
１１５    通気路
１１６    吸込口
１１７    吹出口
１１８    フィルタ
１１９    ファン
【図１】
2018054244.tif 000003
【図２】
2018054244.tif 000004
【図３】
2018054244.tif 000005
【図４】
2018054244.tif 000006
【図５】
2018054244.tif 000007
【図６】
2018054244.tif 000008
【図７】
2018054244.tif 000009
【図８】
2018054244.tif 000010
【図９】
2018054244.tif 000011
【図１０】
2018054244.tif 000012
【図１１】
2018054244.tif 000013
【図１２】
2018054244.tif 000014
【図１３】
2018054244.tif 000015
【図１４】
2018054244.tif 000016
【図１５】
2018054244.tif 000017
【図１６】
2018054244.tif 000018
【図１７】
2018054244.tif 000019